(57)【要約】【課題】光源装置および電源系の冷却効率を向上できるリアプロジェクタを提供する。【解決手段】リアプロジェクタ１は、光源装置４１と、画像を形成する光変調装置および画像を拡大投射する投射光学装置を有する光学系と、投射画像を投影するスクリーンと、装置全体に駆動電力を供給する電源系６１と、これらが収納される箱状の筐体３とを備える。筐体３は、スクリーンが設けられる筐体面の端部から背面側に延び、互いに対向する一対の側面を備える。光源装置４１および電源系６１は、光学系を挟んで互いに反対側に配置され、これらは、スクリーンの投射面に沿って配列される。筐体３の側面のうち、光源装置４１に近接する側面には、光源装置４１を冷却した空気を排出する第１排気口３７Ａが形成され、電源系６１に近接する側面には、電源系６１を冷却した空気を排出する第２排気口が形成される。【選択図】  図１１
2006208810.tif 000002
【特許請求の範囲】
【請求項１】
光源装置と、この光源装置から射出された光束を画像情報に応じて変調して画像を形成する光変調装置、および、この光変調装置で形成された画像を拡大投射する投射光学装置を有する光学系と、この投射光学装置からの投射画像が投影されるスクリーンと、装置全体に駆動電力を供給する電源系と、前記光源装置、前記光学系、前記電源系および前記スクリーンが収納される箱状の筐体とを備えたリアプロジェクタであって、
前記筐体は、前記スクリーンが設けられる筐体面の端部から、当該筐体の背面側に延び、それぞれが互いに対向する一対の側面を備え、
前記光源装置および前記電源系は、前記光学系を挟んで互いに反対側に配置されるとともに、前記光源装置、前記光学系および前記電源系は、前記スクリーンの投射面に沿って配列され、
前記筐体の側面のうち、前記光源装置に近接する側の側面には、前記光源装置を冷却した空気を排出する第１排気口が形成され、前記電源系に近接する側の側面には、前記電源系を冷却した空気を排出する第２排気口が形成されていることを特徴とするリアプロジェクタ。
【請求項２】
請求項１に記載のリアプロジェクタにおいて、
前記第１排気口と、前記光源装置とを接続し、当該光源装置を冷却した空気を、前記第１排気口を介して外部に導くダクトを備えることを特徴とするリアプロジェクタ。
【請求項３】
請求項１または請求項２に記載のリアプロジェクタにおいて、
前記第１排気口と、前記光源装置との間には、当該光源装置を冷却する冷却ファンを備え、
前記冷却ファンの吸気面は、前記光源装置に対向していることを特徴とするリアプロジェクタ。
【請求項４】
請求項１から請求項３のいずれかに記載のリアプロジェクタにおいて、
前記筐体は、脚部を有し、当該筐体内に少なくとも前記光源装置および前記電源系が載置される底面部を備え、
前記底面部は、前記筐体が設置される設置面から所定の間隔を隔てて配置され、
前記筐体の少なくともいずれかの面には、当該筐体を設置した際に、前記底面部の下方に空気を導入する少なくとも２つの吸気口が形成され、
前記底面部には、前記光源装置および前記電源系の近傍に、前記２つの吸気口のうち、一方の吸気口から導入した空気を前記光源装置に流通させる光源装置冷却用の開口と、他方の吸気口から導入した空気を前記電源系に流通させる電源系冷却用の開口とが形成されていることを特徴とするリアプロジェクタ。
【請求項５】
請求項４に記載のリアプロジェクタにおいて、
前記底面部の下面には、それぞれの前記吸気口から導入した空気を隔てる隔壁が形成されていることを特徴とするリアプロジェクタ。
【発明の詳細な説明】
【技術分野】
【０００１】
本発明は、光源装置と、この光源装置から射出された光束を画像情報に応じて変調して画像を形成する光変調装置、および、この光変調装置で形成された画像を拡大投射する投射光学装置を有する光学系と、この投射光学装置からの投射画像が投影されるスクリーンと、装置全体に駆動電力を供給する電源系と、前記光源装置、前記光学系、前記電源系および前記スクリーンが収納される箱状の筐体とを備えたリアプロジェクタに関する。
【背景技術】
【０００２】
近年、家庭内でのホームシアター等の用途として、プロジェクタが普及しつつある。この種のプロジェクタとして、光源装置と、この光源装置から射出された光束を画像情報に応じて変調して画像を形成する光変調装置と、この光変調装置で形成された画像を拡大投射する投射光学装置と、この投射光学装置からの投射画像が投影される透光性のスクリーンと、光源および光変調装置を含む装置本体の駆動制御を行う制御系と、これらに駆動電力を供給する電源装置と、これらを内部に収納する筐体とを備えたリアプロジェクタが知られている。そして、このようなリアプロジェクタでは、光変調装置で形成された画像を、背面側からスクリーンに投影することにより、視聴者は、正面側から画像を視認できるように構成されている。
【０００３】
このようなリアプロジェクタの駆動時は、光源装置および電源系が高温状態となる一方で、これら光源装置および電源系の構成部品は熱に弱いものが多数用いられており、リアプロジェクタを安定して駆動するためには、これら構成部品を効率よく冷却する必要がある。このため、リアプロジェクタ内部に、外部から冷却空気を取り込んで、当該冷却空気を各構成部品に送風して冷却するリアプロジェクタが知られている（例えば、特許文献１参照）。
【０００４】
特許文献１に記載のリアプロジェクタは、筐体（下部キャビネット）の一方の側面に形成された吸気用開口を介して、筐体外部の冷却空気を導入し、当該冷却空気を、画像を形成する光学ユニット、および、電源装置（第１電源装置、第２電源装置）に流通させた後、当該筐体の反対側の側面に形成された排気用開口から外部に排出する冷却流路が形成されている。詳述すると、この冷却流路は、光源冷却流路、光学装置冷却流路、制御基板冷却流路および電源冷却流路とに分類され、筐体内に設けられたファンにより吸気用開口から導入した冷却空気の一部が、制御基板冷却流路を流通して制御基板（制御系）を冷却し、残りの一部が、光学装置冷却流路を流通して光学装置を冷却して、光学装置の上方で合流する。この合流した冷却空気の一部は、光源冷却流路を流通して光源装置を冷却し、排気用開口から排気される。また、合流した冷却空気の残りの一部は、電源冷却流路を流通して電源装置を冷却した後、排気用開口から排出される。ここで、光源装置を冷却した空気は、ダクトを介して排出される。これにより、リアプロジェクタの各構成部品を効率よく冷却することができる。
【０００５】
【特許文献１】特開２００３−３３７３７７号公報
【発明の開示】
【発明が解決しようとする課題】
【０００６】
しかしながら、特許文献１に記載の発明では、光源装置および電源装置が近接して筐体内に配置されているため、これらを冷却する冷却空気の流路をダクト等により分離しても、一方で発生した熱が、部品（例えばダクト）伝いに他方に伝導してしまう可能性がある。この場合、伝導した熱が冷却空気の温度を上昇させてしまうため、光源装置および電源装置を、それぞれ適切に冷却することが困難であるという問題がある。特に、近年のリアプロジェクタに用いられる光源装置は、発光輝度が飛躍的に向上しており、これに伴って、駆動時の光源装置は高温傾向にある。このため、これら光源装置および電源装置を効果的に冷却できるリアプロジェクタが要望されてきた。
【０００７】
本発明の目的は、光源装置および電源系を適切に冷却でき、これらの冷却効率を向上することができるリアプロジェクタを提供することである。
【課題を解決するための手段】
【０００８】
前記した目的を達するために、本発明のリアプロジェクタは、光源装置と、この光源装置から射出された光束を画像情報に応じて変調して画像を形成する光変調装置、および、この光変調装置で形成された画像を拡大投射する投射光学装置を有する光学系と、この投射光学装置からの投射画像が投影されるスクリーンと、装置全体に駆動電力を供給する電源系と、前記光源装置、前記光学系、前記電源系および前記スクリーンが収納される箱状の筐体とを備えたリアプロジェクタであって、前記筐体は、前記スクリーンが設けられる筐体面の端部から、当該筐体の背面側に延び、それぞれが互いに対向する一対の側面を備え、前記光源装置および前記電源系は、前記光学系を挟んで互いに反対側に配置されるとともに、前記光源装置、前記光学系および前記電源系は、前記スクリーンの投射面に沿って配列され、前記筐体の側面のうち、前記光源装置に近接する側の側面には、前記光源装置を冷却した空気を排出する第１排気口が形成され、前記電源系に近接する側の側面には、前記電源系を冷却した空気を排出する第２排気口が形成されていることを特徴とする。
【０００９】
本発明によれば、リアプロジェクタを構成する光源装置と、電源系とが、光学系を挟んで互いに反対側に配置され、これらがスクリーンに沿って配列されている。このため、リアプロジェクタ内部では、光源装置と、電源系とが離間して配置されることとなる。また、光源装置を冷却した空気は、筐体の対向する一対の側面のうち、当該光源装置に近接する側の側面に形成された第１排気口から排出され、電源系を冷却した空気は、他方の側面に形成された第２排気口から排出される構成とされている。このため、リアプロジェクタ内には、光源装置を冷却する空気の流路と、電源系を冷却する空気の流路とが、それぞれ独立して形成されることとなる。これによれば、光源装置および電源系を、光学系を挟んで、それぞれ離間して配置し、これら光源装置および電源系を冷却するそれぞれの空気の流路を分けることにより、光源装置および電源系のそれぞれの冷却流路における熱干渉を防ぐことができる。従って、冷却空気の不要な温度上昇を防ぐことができ、光源装置および電源系を効果的に冷却することができる。
【００１０】
本発明では、前記第１排気口と、前記光源装置とを接続し、当該光源装置を冷却した空気を、前記第１排気口を介して外部に導くダクトを備えるが好ましい。
本発明によれば、光源装置を冷却した空気は、光源装置と第１排気口とを接続するダクト内を流通して、第１排気口から排出される。これによれば、光源装置の冷却に供され、熱せられた空気の排出を効率よく行うことができるので、熱せられた空気が筐体内に拡散・滞留することを防ぐことができ、筐体内部の高温化を防ぐことができる。従って、筐体内を低温化することができ、光源装置および電源系を含むリアプロジェクタの構成部品の温度上昇を一層防ぐことができる。
【００１１】
本発明では、前記第１排気口と、前記光源装置との間には、当該光源装置を冷却する冷却ファンを備え、前記冷却ファンの吸気面は、前記光源装置に対向していることが好ましい。
ここで、冷却ファンは、ファン回転軸方向から吸気した空気を回転接線方向に排気する遠心力ファン(シロッコファン）であってもよく、回転軸を中心としてファンを回転させることにより、回転軸方向に沿って空気を取り込み、排出する軸流ファンであってもよい。
本発明によれば、冷却ファンは、当該冷却ファンの吸気面が光源装置に対向するように配置されている。このため、冷却ファンの吸気側には、光源装置が位置することとなるので、当該冷却ファンの駆動とともに、光源装置の周囲の空気は、当該光源装置を冷却しつつ光源装置に沿って流通し、冷却ファンの吸気面に向かって集約されることとなる。これによれば、光源装置に拡散せずに空気を流通させることができ、冷却した空気を筐体外に排出することができるので、光源装置の冷却効率を一層向上することができる。
また、冷却ファンの吸気面が光源装置に対向配置されているので、冷却ファンの駆動により、光源装置の周囲の空気が滞留することを防ぐことができる。従って、より一層光源装置の冷却効率を向上することができる。
さらに、冷却ファンが、光源装置の上方に位置する場合には、当該光源装置の冷却に供され、熱を帯びた空気を効率よく吸引して排出することができるので、光源装置の冷却効果を一層高めることができる。
【００１２】
本発明では、前記筐体は、脚部を有し、当該筐体内に少なくとも前記光源装置および前記電源系が載置される底面部を備え、前記底面部は、前記筐体が設置される設置面から所定の間隔を隔てて配置され、前記筐体の少なくともいずれかの面には、当該筐体を設置した際に、前記底面部の下方に空気を導入する少なくとも２つの吸気口が形成され、前記底面部には、前記光源装置および前記電源系の近傍に、前記２つの吸気口のうち、一方の吸気口から導入した空気を前記光源装置に流通させる光源装置冷却用の開口と、他方の吸気口から導入した空気を前記電源系に流通させる電源系冷却用の開口とが形成されていることが好ましい。
【００１３】
本発明によれば、光源装置を冷却する冷却空気の流路（冷却流路）と、電源系を冷却する冷却空気の流路とを分離することができる。
すなわち、一方の吸気口から底面部の下方に導入された空気は、光源装置冷却用の開口から光源装置に向かって流通し、当該光源装置を冷却した後、光源装置に近接する側の筐体の側面に形成された第１排気口から排出される。また、他方の吸気口から底面部の下方に導入された空気は、電源系冷却用の開口から電源系に向かって流通し、当該電源系を冷却した後、電源系に近接する側の筐体の側面に形成された第２排気口から排出される。これによれば、光源装置の冷却流路と、電源系の冷却流路の独立性を高めることができ、互いの熱干渉を一層抑えることができる。従って、光源装置および電源系の冷却効率を向上することができる。
また、光源装置の冷却流路と電源系の冷却流路とを分離したことにより、空気の流通を良好にすることができるので、筐体内部の温度を一層低くすることができる。従って、リアプロジェクタの構成部品を、一層効果的に冷却することができる。
【００１４】
本発明では、前記底面部の下面には、それぞれの前記吸気口から導入した空気を隔てる隔壁が形成されていることが好ましい。
本発明によれば、吸気口から光源装置および電源系に至る空気の流路を、隔壁によって分離したことにより、光源装置の冷却流路および電源系の冷却流路の独立性を一層高めることができる。これによれば、光源装置および電源系に至るそれぞれの流路の熱干渉を一層抑えることができる。
また、それぞれの流路を独立させたことにより、光源装置および電源系の一方に空気の流通が集中することを防ぐことができる。従って、光源装置および電源系を均等に冷却することができる。
【発明を実施するための最良の形態】
【００１５】
以下、本発明の一実施形態に係るリアプロジェクタを図面に基づいて説明する。
図１は、本実施形態のリアプロジェクタ１を正面側から見た斜視図である。また、図２は、リアプロジェクタ１を背面側から見た図であり、図３は、当該リアプロジェクタ１を左側面から見た図である。なお、図３でいう左側とは、リアプロジェクタ１を正面から見た場合の左側を指す。
リアプロジェクタ１は、光源から射出された光束を、入力する画像情報に応じて変調して光学像を形成し、形成した光学像を、当該リアプロジェクタ１に設けられた透光性のスクリーン２Ｂに拡大投射するものである。
【００１６】
（１）外観構成
リアプロジェクタ１は、図１から図３に示すように、正面側から見て略長方形状を有し、縦断面略三角形状を有する上部キャビネット２と、この上部キャビネット２を下方から支える下部キャビネット３とを備えて構成されている。これら上部キャビネット２および下部キャビネット３は、互いにねじ等により固定されている。
このうち、上部キャビネット２は、図１に示すように、内部に後述する反射ミラー２Ａ（図４）を収納するミラーケース２１と、スクリーン２Ｂを保持するフレーム枠２２とを備えて構成される。
また、下部キャビネット３は、上部キャビネット２を支持するとともに、リアプロジェクタ１の主要な構成部品を内部に収納する平面視略台形状の箱型筐体である。
【００１７】
（1-1）リアプロジェクタ１の正面構成
リアプロジェクタ１の正面側、すなわち、上部キャビネット２の正面側には、図１に示すように、フレーム枠２２が配置されている。
フレーム枠２２は、後述するミラーケース２１（図２）の正面側の寸法と略同じ大きさで正面視略長方形状に形成され、当該ミラーケース２１の正面側に、ねじ等により固定される。
このフレーム枠２２は、前述のように、光学像が投射されるスクリーン２Ｂを保持する。このため、フレーム枠２２の略中央には、スクリーン２Ｂの光学像投射領域と略同じ大きさの略長方形状の開口部２２１が形成され、当該開口部２２１からスクリーン２Ｂが露出する。また、この開口部２２１の左右両側には、背面側にそれぞれ２個のスピーカ（図示省略）が配置されたスピーカ設置部２２２，２２３が形成されている。
【００１８】
ここで、スクリーン２Ｂは、フレネルシート、レンチキュラーシート、ガラス板等の保護板を備えて構成されている。このうち、フレネルシートは、後述する光学ユニットの投射レンズから射出され、後述する反射ミラー２Ａ（図４）で反射された光束を平行化する。また、レンチキュラーシートは、フレネルシートを透過して平行化された光束を、当該レンチキュラーシートによって拡散して、表示画像を適切に視認できるように構成されている。
【００１９】
下部キャビネット３の正面側には、略中央に略長方形状の開口部３１が形成され、上下方向に回動して、当該開口部３１を閉塞および開放する蓋部材３１Ａが設けられている。
この開口部３１の内部には、詳しい図示を省略するが、正面側操作パネルとしてのフロントパネルが設けられている。このフロントパネルの左側部分には、音量調節や画質調整等を行う各種操作スイッチ、ＰＣ（Personal Computer）接続端子としてのＤ−Ｓｕｂ端子、ステレオ音声入力端子、ビデオ入力端子、Ｓ端子等が配設されている。また、フロントパネルの右側部分には、各種半導体メモリカードが挿入可能な開口が形成され、内部に当該カードからデータを読み取るカードリーダが配設されている。このような開口部３１の右側には、電源スイッチ３２が設けられている。これらフロントパネルおよび電源スイッチ３２は、後述する制御基板５（図５）に電気的に接続されている。
また、下部キャビネット３の正面側左右両端には、脚部３３が形成されている。
【００２０】
（1-2）リアプロジェクタ１の背面構成
リアプロジェクタ１の背面側は、図２および図３に示すように、上部キャビネット２のミラーケース２１および下部キャビネット３により構成される。
このうち、ミラーケース２１は、縦断面略三角形状を有する合成樹脂製の箱型筐体である。このミラーケース２１は、リアプロジェクタ１の背面を構成する背面壁２１１と、この背面壁２１１の下方端部と接続される底面壁２１２と、これら背面壁２１１および底面壁２１２の左右両側に位置する一対の側壁２１３，２１４とから構成されている。また、このミラーケース２１の正面側には、側壁２１３，２１４に略直交し、互いに離間する方向、すなわち、リアプロジェクタ１の左右方向に延出する延出部２１５，２１６が形成されている。
【００２１】
背面壁２１１は、長辺が上方に位置する平面視略台形状の形状を有し、後方の下側に向かって傾斜するように形成されている。この背面壁２１１の内側の面には、後述する反射ミラー２Ａ（図４）が所定角度で支持されている。
一対の側壁２１３，２１４は、背面壁２１１および底面壁２１２の左右両端を接続するように形成されており、後方に向かうにしたがって内側に傾斜するように形成されている。
延出部２１５，２１６は、側壁２１３，２１４の縦寸法より大きく形成され、略中央部分に、背面方向に向かって膨出した膨出部２１５Ａ，２１６Ａが形成されている。この膨出部２１５Ａ，２１６Ａは、フレーム枠２２のスピーカ設置部２２２，２２３（図１）と合わさって、スピーカエンクロージャを形成する。
【００２２】
下部キャビネット３は、前述のように、上部キャビネット２の平面視形状に合わせて、平面視略台形形状に形成され、四方を側壁によって囲まれた箱状筐体である。
この下部キャビネット３の背面側には、図２における左側に、第１凹部３４が形成され、右側に、第２凹部３５が形成されている。
このうち、第１凹部３４には、略正方形状のランプ交換口３４Ａが形成され、当該ランプ交換口３４Ａは、ランプカバー３４Ｂによって覆われている。このランプ交換口３４Ａは、ランプカバー３４Ｂを取り外すことによって開放され、当該ランプ交換口３４Ａを介して、後述する光学ユニット４の光源装置４１（図５および図８）を交換できるように構成されている。
第２凹部３５には、電源ケーブル３５Ａ、および、背面側操作パネルとしてのリアパネル３５Ｂが設けられている。このうち、リアパネル３５Ｂには、具体的に、ＰＣ接続端子としてのＤＶＩ（Digital Visual Interface）端子、アンテナ入力端子、および、複数系統のビデオ・音声入出力端子等が配設されている。
【００２３】
また、第１凹部３４および第２凹部３５の下方には、下部キャビネット３内部に収納された電子部品を冷却する冷却空気を導入するための２つの吸気口３６（３６Ａ，３６Ｂ）が形成されている。
さらに、下部キャビネット３の背面を挟む両側面、詳述すると、下部キャビネット３を背面側から見て、第１凹部３４の左側および第２凹部３５の右側には、排気口３７（３７Ａ，３７Ｂ，３７Ｃ）が形成されている。これら排気口３７Ａ〜３７Ｃは、下部キャビネット３内の各種装置を冷却した空気が排出される開口であり、スリット状に形成されている。
このうち、第１凹部３４の左側に形成された排気口３７Ａは、本発明の第１排気口に相当し、後述する光源装置４１（図５）および光源駆動ブロック６２（図６）を冷却した空気を排出する。また、第２凹部３５の右側に形成された排気口３７Ｂ，３７Ｃは、本発明の第２排気口に相当し、後述する制御基板５（図５）および電源ブロック６１（図６）を冷却した空気を排出する。
【００２４】
（２）内部構成
（2-1）上部キャビネット２の内部構成
図４は、上部キャビネット２の内部構成を示す図である。具体的に、図４は、図１の状態からスクリーン２Ｂを取り外したリアプロジェクタ１の正面側斜視図である。
上部キャビネット２の内部には、図４に示すように、下部キャビネット３内部に設けられた後述する光学ユニット４（図５および図８）の投射レンズ４６（図８）から射出された光学像としての光束を反射する反射ミラー２Ａが収納される。この反射ミラー２Ａは、背面壁２１１（図２）の形状と略同じ平面視略台形状に形成された一般的なミラーであり、上部キャビネット２の背面壁２１１（図２）の内側に、台形状の長辺が上側となるように傾斜して取り付けられる。この反射ミラー２Ａの傾斜角は、正面側に取り付けられるスクリーン２Ｂ（図１）と後述する光学ユニット４（図５および図８）の投射レンズ４６（図８）による映像の反射との設定された位置関係に基づいて設定されている。
【００２５】
また、ミラーケース２１の底面壁２１２は、長辺が前方側に位置する平面視略台形状の形状を有している。この底面壁２１２は、図２および図３に示したように、背面側に向かうにしたがって上方に傾斜するように形成され、背面側の端部で背面壁２１１と、また、左右の端部で側壁２１３，２１４と接続されている。
この底面壁２１２には、図４に示すように、正面側の略中央部分に略矩形状の切欠２１２Ａが形成されており、後述する光学ユニット４（図５および図８）の投射レンズ４６が露出する。また、当該切欠２１２Ａの左側には、上方に向かって膨出した膨出部２１２Ｂが形成されている。この膨出部２１２Ｂは、後述する電源ユニット６（図５）の電源ブロック６１（図５）に対応する位置に形成されている。
【００２６】
（2-2）下部キャビネット３の内部構成
図５は、下部キャビネット３の内部構成を示す図である。詳述すると、図５は、図２の状態から下部キャビネット３の背面側の外装ケースを取り外したリアプロジェクタ１の背面側斜視図である。また、図６は、下部キャビネット３の内部構成を模式的に示した平面図である。
下部キャビネット３の内部には、画像を形成する光学ユニット４、リアプロジェクタ１全体の駆動制御を行う制御基板５、および、リアプロジェクタ１を構成する各電子部品に駆動電力を供給する電源ユニット６等を収納する。具体的には、これら光学ユニット４、制御基板５および電源ユニット６は、上部キャビネット２に保持されるスクリーン２Ｂに沿って、下部キャビネット３の底面部３９に設置されている。すなわち、画像形成等のリアプロジェクタ１における主要な処理は、下部キャビネット３内に収納された構成部品によって実行される。
このうち、光学ユニット４は、図５および図６に示すように、下部キャビネット３の略中央から右側、すなわち、背面側から見て左側に配置されている。また、制御基板５および電源ユニット６は、下部キャビネット３の略中央から左側、すなわち、背面側から見て略中央から右側に配置されている。
【００２７】
（３）光学ユニット４の構成
図７は、光学ユニット４を示す斜視図である。また、図８は、光学ユニット４の光学系を示す模式図である。
光学ユニット４は、光源装置４１から射出された光束を、液晶パネル４５１により、入力する画像情報に応じて変調して光学像を形成し、当該形成した光学像を投射レンズ４６により反射ミラー２Ａ（図４）を介して、スクリーン２Ｂ（図１）に拡大投射するものである。この光学ユニット４は、図７に示すように、下部キャビネットの底面部３９（図５）の上面に設けられた光学ユニット載置台３８上に載置される。
なお、この光学ユニット載置台３８は、複数の板状部材から構成され、光学ユニット４を所定の位置に固定するための板状部材である。
【００２８】
このような光学ユニット４は、図８に示すように、光源装置４１と、インテグレータ照明光学系４２と、色分離光学系４３と、リレー光学系４４と、電気光学装置４５と、投射光学装置としての投射レンズ４６と、これらを内部に収納する光学部品用筐体４７と、投射レンズ４６を保持固定するヘッド体４８とを備えて構成されている。このうち、インテグレータ照明光学系４２と、色分離光学系４３と、リレー光学系４４と、電気光学装置４５と、投射光学系としての投射レンズ４６とが、本発明の光学系に相当する。
【００２９】
光源装置４１は、光学ユニット４における最も右側、すなわち、リアプロジェクタ１を背面側から見た場合に、光学ユニット４における最も左側に位置しており、光学ユニット４を構成する部品の中で、電源ブロック６１から最も離れた位置に配置されている。
この光源装置４１は、放射光源としての光源ランプ４１１と、リフレクタ４１２と、防爆ガラス４１３と、これらを内部に収納する合成樹脂製の筐体である光源ランプボックス４１４とを備えて構成されている。そして、この光源装置４１は、光源ランプ４１１から射出された放射状の光線をリフレクタ４１２で反射して平行光線とし、この平行光線を、防爆ガラス４１３を介して外部へと射出する。
【００３０】
このうち、光源ランプ４１１は、本実施形態では、高圧水銀ランプが採用されている。なお、高圧水銀ランプ以外に、メタルハライドランプやハロゲンランプ等を採用することもできる。また、リフレクタ４１２としては、放物面鏡を採用しているが、放物面鏡の代わりに、平行化凹レンズおよび楕円面鏡を組み合わせたものを採用してもよい。
防爆ガラス４１３は、リフレクタ４１２の開口部分を閉塞する透光性のガラス部材であり、光源ランプ４１１が破裂した場合に、当該光源ランプ４１１の破片が、光源ランプボックス４１４から外部に飛散しないように構成されている。
光源ランプボックス４１４には、図７に示すように、光源装置４１をリアプロジェクタ１内に収納した際の背面方向に向かって延出した一対の把手４１４Ａが形成されており、光源装置４１を交換する際に、光源ランプボックス４１４を把持しやすいように構成されている。そして、光源ランプ４１１の寿命および破損等により光源装置４１を交換する必要が生じた場合には、前述のランプカバー３４Ｂ（図２）を開放して、ランプ交換口３４Ａ（図２）から光源装置４１ごと交換できるように構成されている。
【００３１】
インテグレータ照明光学系４２は、電気光学装置４５を構成する後述する３つの液晶パネル４５１の画像形成領域をほぼ均一に照明するための光学系である。このインテグレータ照明光学系４２は、図８に示すように、第１レンズアレイ４２１と、第２レンズアレイ４２２と、偏光変換素子４２３と、重畳レンズ４２４とを備えて構成されている。
第１レンズアレイ４２１は、光軸方向から見てほぼ矩形状の輪郭を有する小レンズがマトリクス状に配列された構成を有し、各小レンズは、光源装置４１から射出された光束を複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を後述する液晶パネル４５１上に結像させる機能を有する。
【００３２】
偏光変換素子４２３は、第２レンズアレイ４２２と重畳レンズ４２４との間に配設される。このような偏光変換素子４２３は、第２レンズアレイ４２２からの光を略１種類の直線偏光に変換するものであり、これにより、電気光学装置４５での光の利用効率が高められている。
具体的に、偏光変換素子４２３によって略１種類の直線偏光に変換された各部分光は、重畳レンズ４２４によって最終的に電気光学装置４５の後述する液晶パネル４５１上にほぼ重畳される。偏光光を変調するタイプの液晶パネル４５１を用いたリアプロジェクタ１では、１種類の直線偏光しか利用できないため、他種類のランダムな偏光光を発する光源ランプ４１１からの光のほぼ半分が利用されない。そこで、偏光変換素子４２３を用いることにより、光源ランプ４１１から射出された光束を略１種類の直線偏光に変換し、電気光学装置４５での光の利用効率を高めている。
なお、このような偏光変換素子４２３は、例えば特開平８−３０４７３９号公報に紹介されている。
【００３３】
色分離光学系４３は、２枚のダイクロイックミラー４３１，４３２と、反射ミラー４３３とを備え、ダイクロイックミラー４３１，４３２によりインテグレータ照明光学系４２から射出された光束を、赤（Ｒ）、緑（Ｇ）、青（Ｂ）の３色の色光に分離する機能を有している。
【００３４】
リレー光学系４４は、入射側レンズ４４１と、リレーレンズ４４３と、反射ミラー４４２，４４４とを備え、色分離光学系４３で分離された色光である赤色光を電気光学装置４５の後述する赤色光用の液晶パネル４５１Ｒまで導く機能を有している。
この際、色分離光学系４３のダイクロイックミラー４３１では、インテグレータ照明光学系４２から射出された光束の赤色光成分と緑色光成分とが透過するとともに、青色光成分が反射する。ダイクロイックミラー４３１によって反射した青色光は、反射ミラー４３３で反射し、フィールドレンズ４５５を通って、電気光学装置４５の後述する青色光用の液晶パネル４５１Ｂに到達する。このフィールドレンズ４５５は、第２レンズアレイ４２２から射出された各部分光束をその中心軸（主光線）に対して平行な光束に変換する。他の緑色光用、赤色光用の光変調装置の光束入射側に設けられたフィールドレンズ４５５も同様である。
【００３５】
また、ダイクロイックミラー４３１を透過した赤色光と緑色光のうちで、緑色光は、ダイクロイックミラー４３２によって反射し、フィールドレンズ４５５を通って、緑色光用の液晶パネル４５１Ｇに到達する。一方、赤色光は、ダイクロイックミラー４３２を透過してリレー光学系４４を通り、さらにフィールドレンズ４５５を通って、赤色光用の液晶パネル４５１Ｒに到達する。
なお、赤色光にリレー光学系４４が用いられているのは、赤色光の光路の長さが他の色
光の光路の長さよりも長いため、光の発散等による光の利用効率の低下を防止するためである。すなわち、入射側レンズ４４１に入射した部分光束をそのまま、フィールドレンズ４５５に伝えるためである。なお、リレー光学系４４には、３つの色光のうちの赤色光を通す構成としたが、これに限らず、例えば、青色光や緑色光を通す構成としてもよい。
【００３６】
電気光学装置４５は、入射された光束を画像情報に応じて変調してカラー画像を形成するものであり、色分離光学系４３で分離された各色光が入射される３つの入射側偏光板４５２と、各入射側偏光板４５２の光路後段に配置される光変調素子としての３つの液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光路後段に配置される３つの射出側偏光板４５３と、色合成光学装置としてのクロスダイクロイックプリズム４５４とを備える。そして、これら入射側偏光板４５２、液晶パネル４５１、射出側偏光板４５３、およびクロスダイクロイックプリズム４５４は、一体的にユニット化されている。なお、入射側偏光板４５２、液晶パネル４５１、および、射出側偏光板４５３は、具体的な図示は省略するが、所定の間隔を空けて配置している。
【００３７】
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
【００３８】
液晶パネル４５１は、本発明の光変調装置に相当し、一対の透明ガラス基板に電気光学物質である液晶が密閉封入された構成を有し、後述する制御基板から出力される駆動信号に応じて、画像形成領域内にある前記液晶の配向状態が制御され、入射側偏光板４５２から射出された偏光光束の偏光方向を変調する。
【００３９】
射出側偏光板４５３は、入射側偏光板４５２と略同様の構成であり、液晶パネル４５１の画像形成領域から射出された光束のうち、入射側偏光板４５２における光束の透過軸と直交する偏光軸を有する光束のみ透過させ、その他の光束を吸収するものである。
【００４０】
クロスダイクロイックプリズム４５４は、射出側偏光板４５３から射出された色光毎に変調された光学像を合成してカラー画像を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｒ，４５１Ｂから射出され射出側偏光板４５３を介した各色光を反射し、液晶パネル４５１Ｇから射出され射出側偏光板４５３を介した色光を透過する。このようにして、各液晶パネル４５１Ｒ，４５１Ｇ，４５１Ｂにて変調された各色光が合成され、カラー画像が形成される。
【００４１】
投射レンズ４６は、鏡筒内に複数のレンズ、および、入射光束を偏向するミラーが収納された構成を有し、電気光学装置４５から射出されたカラー画像を拡大して、反射ミラー２Ａ（図４）に向けて、すなわち、正面に向かって射出されたカラー画像を上方向に向けて、折り曲げて投射するものである。この投射レンズ４６は、図８に示すように、電気光学装置４５の光束射出側に配置され、後述するヘッド体４８に固定されている。また、この投射レンズ４６は、図４に示したように、下部キャビネット３の正面側略中央に配置され、前述の上部キャビネット２の底面壁２１２に形成された切欠２１２Ａからミラーケース２１内部に露出する。
【００４２】
光学部品用筐体４７は、図８に示すように、内部に所定の照明光軸Ａが設定され、上述した光学部品４２〜４５を照明光軸Ａに対する所定位置に配置する。この光学部品用筐体４７は、図７および図８に示すように、光源装置収納部材４７１と、部品収納部材４７２と、蓋状部材４７３とを備えて構成されている。
【００４３】
光源装置収納部材４７１は、詳しい図示を省略するが、背面側に開口した断面略Ｕ字状を有する箱型に形成されている。この光源装置収納部材４７１に光源装置４１を収納する際には、当該光源装置収納部材４７１に対して光源ランプボックス４１４を正面側に向かってスライドさせる。また、光源装置収納部材４７１から光源装置４１を取り出す場合には、背面側に向かって光源ランプボックス４１４をスライドさせる。
この光源装置収納部材４７１は、部品収納部材４７２に接続されており、当該部品収納部材４７２との接続部分には、光源装置４１の光源ランプ４１１から射出される光束が通過するように開口４７１Ａが形成されている。
【００４４】
部品収納部材４７２は、上方が開口した断面略Ｕ字状を有する合成樹脂製の箱型筐体として構成されている。この部品収納部材４７２は、前述のように、一端側に、光源装置収納部材４７１が接続され、他端側に、電気光学装置４５および投射レンズ４６を保持固定するヘッド体４８が取り付けられる。このうち、光源装置収納部材４７１に接続される側の部品収納部材４７２の端部には、光源装置収納部材４７１に収納された光源装置４１から射出された光束が、部品収納部材４７２内を通過するように、略矩形の開口４７２Ａが形成されている。
この部品収納部材４７２の内部には、複数の溝が形成され、当該溝に、前述の光学部品４２１〜４２４、４３１〜４３３、４４１〜４４４、４５５を、上方から嵌め込むようにして位置決め固定する。
【００４５】
この部品収納部材４７２において、光源装置４１の光源ランプ４１１から射出され内部で導光した光束を射出する平面視Ｕ字状の射出側端部の各端面には、図８に示すように、光束を通過させるための光束通過用開口としての切欠４７２Ｂがそれぞれ形成され、当該切欠４７２Ｂを閉塞するように切欠４７２Ｂの周縁部分にフィールドレンズ４５５が取り付けられる。
また、この部品収納部材４７２には、図７に示すように、外面に複数の脚部４７２Ｃが形成されている。これら脚部４７２Ｃは、光学ユニット載置台３８に、当該部品収納部材４７２を固定するためのものである。そして、部品収納部材４７２は、脚部４７２Ｃに形成された孔４７２Ｃ１を介して、光学ユニット載置台３８にねじ固定される。
【００４６】
蓋状部材４７３は、図７に示すように、部品収納部材４７２の平面形状に対応する形状を有し、当該部品収納部材４７２の上部開口を閉塞するように取り付けられる合成樹脂製の筐体である。
この蓋状部材４７３の偏光変換素子４２３に対応する位置には、開口（図示省略）が形成されており、当該開口の上方には、偏光変換素子４２３を冷却するための冷却ファン９１が設けられている。
【００４７】
部品収納部材４７２の光束射出側の端部には、図８に示すように、投射レンズ４６を保持固定するヘッド体４８が取り付けられる。
ヘッド体４８は、例えばアルミニウム合金またはマグネシウム合金等の金属材料から構成され、電気光学装置４５および投射レンズ４６を一体化するとともに、一体化したユニットを光学部品用筐体４７に対して取り付けるものである。
このヘッド体４８は、詳しい図示を省略するが、側面視略逆Ｔ字状を有し、光束入射側の水平部４８１と、光束射出側の水平部４８２と、これら水平部４８１，４８２に挟まれ、当該水平部４８１，４８２から垂直に起立する垂直部４８３とから構成されている。
このうち、光束入射側の水平部４８１には、電気光学装置４５が固定され、光束射出側の水平部４８２には、投射レンズ４６が固定される。また、垂直部４８３には、電気光学装置４５から射出された光束を投射レンズ４６に導く開口４８３Ａが形成されている。
【００４８】
（４）制御基板５の構成
制御基板５は、リアプロジェクタ１を正面側から見て投射レンズ４６の左側、すなわち、図５および図６における中央右寄りに縦置きに配置されており、投射レンズ４６を挟んで光源装置４１の反対側に配置されている。
制御基板５は、ＣＰＵ（Central Processing Unit）、ＲＯＭ（Read Only Memory）およびＲＡＭ（Random Access Memory）等を実装した回路基板として構成され、前述のフロントパネルおよびリアパネル３５Ｂ（図２）に設けられた各接続端子から入力した画像情報、および、フロントパネルに配設された操作ボタンからの操作信号を処理して、光学ユニット４（図５および図８）の液晶パネル４５１（図８）を含むリアプロジェクタ１（図１）全体の駆動制御を行う。この制御基板５は、図５に示すように、ＥＭＩ（Electromagnetic Interference，電磁障害）を防止するため、複数の孔が形成された金属製のシールド部材で全体が覆われている。
【００４９】
（５）電源ユニット６の構成
電源ユニット６は、外部から入力する交流電流を直流変換して、リアプロジェクタ１（図１）を構成する各電子部品に、駆動電力を供給する。
この電源ユニット６は、図５および図６に示すように、下部キャビネット３の背面側に設けられた電源ケーブル３５Ａ（図２）と接続される電源ブロック６１と、光源装置収納部材４７１の正面側に配置され、光源装置４１を構成する光源ランプ４１１（図８）に駆動電力を供給する光源駆動ブロック６２とから構成されている。
このうち、電源ブロック６１は、本発明の電源系に相当し、図５および図６に示すように、背面側から見て下部キャビネット３の右側に配置されており、光源装置４１とは投射レンズ４６を挟んで反対側に配置されている。この電源ブロック６１は、電源ケーブル３５Ａ（図２）を介して入力する商用交流電流を直流変換し、各電子部品に応じた電圧に昇圧および減圧した後に、光源駆動ブロック６２および制御基板５等の電子部品に供給する。
光源駆動ブロック６２は、電源ブロック６１から供給される直流電流を整流、変圧して、交流矩形波電流を発生させ、この交流矩形波電流を光源装置４１の光源ランプ４１１（図８）に供給して、当該光源ランプ４１１（図８）を点灯させる回路基板である。この光源駆動ブロック６２は、前述の制御基板５に電気的に接続され、当該制御基板５により、光源駆動ブロック６２を介して、光源ランプ４１１（図８）の点灯制御がなされている。
【００５０】
（６）冷却系
（6-1）冷却系の構成
図９は、リアプロジェクタ１を下方から見た図である。すなわち、図９は、下部キャビネット３の底面部３９を下方から見た図である。また、図１０は、底面部３９に形成された開口部３９Ｃ，３９Ｄの位置を模式的に示す図である。すなわち、図１０は、底面部３９を上方から見た模式図である。
リアプロジェクタ１の下部キャビネット３には、前述のように、図９における左右端部に、脚部３３が設けられている。また、この脚部３３が設けられる底面部３９の下面における背面側には、平面視略円形状の脚部３９Ａ，３９Ｂが、左右方向の中心に対して対称位置に設けられている。
さらに、底面部３９には、当該底面部３９の外縁から略垂下する枠状脚部３９１が形成されている。この枠状脚部３９１は、底面部３９と設置台等の設置面との間に所定の間隔を形成する。この枠状脚部３９１の背面側には、前述の吸気口３６Ａ，３６Ｂ（図２）が形成されており、これにより、底面部３９の下方、すなわち、底面部３９と設置面との間には、空気層が形成される。従って、吸気口３６Ａ，３６Ｂから導入されるリアプロジェクタ１外部の空気は、当該吸気口３６Ａ，３６Ｂを介して底面部３９の下方を流通することとなる。
【００５１】
また、底面部３９には、図９における中央右寄りに、同じくスリット状の開口部３９Ｃが形成され、中央左寄りに、スリット状の開口部３９Ｄが形成されている。
このうち、開口部３９Ｃは、底面部３９における光源装置４１の下方に位置しており、当該光源装置４１に合わせた形状とされている。
開口部３９Ｄは、図１０に示すように、制御基板５の下方に位置し、制御基板５と、当該制御基板５および電源ブロック６１の間に設けられた冷却ファン８１とに跨るように、略長方形状に形成されている。なお、この冷却ファン８１は、回転軸を中心としてファンを回転させることにより、回転軸方向に沿って空気を取り込み、排出する軸流ファンで構成され、吸気面が制御基板５に対向し、排気面が電源ブロック６１に対向するように配置されている。
【００５２】
さらに、底面部３９の下面には、図９に示すように、底面部３９の強度を確保するためのリブ３９Ｆが、下面から縦横に起立するように形成されている。このリブ３９Ｆは、吸気口３６Ａから開口部３９Ｃまでの範囲、および、吸気口３６Ｂから開口部３９Ｄまでの範囲には形成されておらず、これにより、リアプロジェクタ１が設置面に設置された際に、当該リブ３９Ｆは、吸気口３６Ａ，３６Ｂから底面部３９の下方に導入した空気を、それぞれ開口部３９Ｃ，３９Ｄに導くダクト様の隔壁として機能する。これにより、吸気口３６Ａから導入した空気が、開口部３９Ｃを介して、光源装置４１および光源駆動ブロック６２に流通させる流路と、吸気口３６Ｂから導入した空気が、開口部３９Ｄを介して、制御基板５および電源ブロック６１に流通する流路とが、それぞれ独立するように形成することができる。
【００５３】
図１１は、リアプロジェクタ１内部の構成部品を冷却する冷却流路を示す図である。なお、図１１では、冷却流路Ｂ，Ｃにおいて、開口部３９Ｃ，３９Ｄから下部キャビネット３内部を流通する空気の流路を矢印で示しているが、吸気口３６Ａ，３６Ｂから開口部３９Ｃ，３９Ｄに至る流路は、図示を省略している。
下部キャビネット３内には、図１１に示すように、光源装置４１上方に、当該光源装置４１および光源駆動ブロック６２を冷却する冷却ファン８２と、この冷却ファン８２から排出される空気を排気口３７Ａに導くダクト８３とが設けられている。
【００５４】
このうち、冷却ファン８２は、ファン回転軸方向から吸気した空気を回転接線方向に排気するシロッコファンである。この冷却ファン８２は、吸気面が光源装置４１に向くように配置され、排気面が排気口３７Ａに向くように配置されている。
ダクト８３は、上部キャビネット２の底面壁２１２の背面２１２Ｅに、断面略Ｌ字状の板状部材８３１を取り付けることによって形成され、これらにより、断面視略三角形状に形成されている。このダクト８３は、冷却ファン８２を覆うように形成されており、冷却ファン８２の吸気面に対応する部分が切り欠かれ、冷却ファン８２による空気の吸引を妨げないようにされている。また、このダクト８３内には、排気口３７Ａから空気が逆流しないようにする仕切部材８３２が、冷却ファン８２の位置から投射レンズ４６寄りの位置に設けられている。
【００５５】
（6-2）冷却流路
ここで、光源装置４１および光源駆動ブロック６２を冷却する冷却流路Ｂと、制御基板５および電源ブロック６１を冷却する冷却流路Ｃについて説明する。
冷却流路Ｂは、吸気口３６Ａから導入したリアプロジェクタ１外部の空気が、光源装置４１および光源駆動ブロック６２（図１０）を冷却した後、排気口３７Ａを介してリアプロジェクタ１外部に排出される流路であり、背面側から見て下部キャビネット３内部の左側（図１１における左側）を流通する空気の流路である。
【００５６】
詳述すると、吸気口３６Ａを介して、底面部３９の下方に導入されたリアプロジェクタ１外部の空気は、図９に示したように、リブ３９Ｆで仕切られた空間内を流通して、開口部３９Ｃに至る。この開口部３９Ｃは、前述のように、光源装置４１の直下に位置している。そして、当該開口部３９Ｃ周辺の空気は、図１１に示すように、冷却ファン８２によって吸引され、光源装置４１および光源駆動ブロック６２（図１０）に沿って上方に流通し、この過程で、これら光源装置４１および光源駆動ブロック６２（図１０）を冷却する。これらの冷却に供され、冷却ファン８２により吸引された空気は、当該冷却ファン８２の排気面が、排気口３７Ａに向かっているので、冷却ファン８２の排気面からダクト８３内に排出され、当該ダクト８３を流通した後、排気口３７Ａを介して、リアプロジェクタ１外部に排出される。
このように、冷却流路Ｂがダクト８３内を流通することにより、光源装置４１および光源駆動ブロック６２を冷却し熱せられた空気が、下部キャビネット３内に拡散し、滞留することを防ぐことができる。また、これにより、冷却後の空気の排出を効率よく行うことができるので、下部キャビネット３内部の温度上昇を防止することができる。
【００５７】
冷却流路Ｃは、吸気口３６Ｂから導入したリアプロジェクタ１外部の空気が、制御基板５および電源ブロック６１を冷却した後に、排気口３７Ｂ，３７Ｃを介してリアプロジェクタ１外部に排出される空気の流れであり、背面側から見て下部キャビネット３内部の右側（図１１における右側）を流通する空気の流れである。
詳述すると、図１１に示すように、吸気口３６Ｂを介して、底面部３９の下方に導入されたリアプロジェクタ１外部の空気は、冷却流路Ｂと同様に、リブ３９Ｆ（図９）で仕切られた空間内を流通して、開口部３９Ｄ（図９）に至る。この空気は、制御基板５および電源ブロック６１の間に配置された冷却ファン８１の駆動により、開口部３９Ｄから制御基板５に沿って流通した後、冷却ファン８１の吸気面に到達し、この過程で制御基板５を冷却する。この後、冷却ファン８１により吸気された空気は、当該冷却ファン８１により、電源ブロック６１の方向に排出され、電源ブロック６１に沿って流通して、当該電源ブロック６１を冷却する。この電源ブロック６１を冷却した空気は、一部が排気口３７Ｂを介して、また、残りの一部が排気口３７Ｃを介して、リアプロジェクタ１外部に排出される。すなわち、制御基板５および電源ブロック６１の冷却に供された空気は、リアプロジェクタ１の駆動開始当初のように当該空気の温度が低い場合には、下方に形成された排気口３７Ｃから主に排出され、内部温度が上昇し、当該空気の温度が高い場合には、上方に形成された排気口３７Ｂから主に排出される。
【００５８】
以上のような本実施形態のリアプロジェクタ１により、以下の効果を奏することができる。
すなわち、下部キャビネット３の内部には、光学ユニット４、制御基板５および電源ユニット６が、上部キャビネット２に保持されるスクリーン２Ｂに沿って収納されている。このうち、光源装置４１、および、電源ユニット６を構成する光源駆動ブロック６２は、制御基板５および電源系（電源ユニット６を構成する電源ブロック６１）に対して、投射レンズ４６を挟んで反対側に配置されている。そして、これら光源装置４１および光源駆動ブロック６２と、電源ブロック６１および制御基板５とは、下部キャビネット３の底面部３９において、離間した位置に配置されている。
このような構成によれば、リアプロジェクタ１の駆動時に、光源装置４１および光源駆動ブロック６２と、電源ブロック６１および制御基板５とのうち、一方で発生した熱が他方に伝わることを防ぐことができ、リアプロジェクタ１を安定して駆動することができる。
【００５９】
また、光源装置４１および光源駆動ブロック６２を冷却する冷却流路Ｂと、制御基板５および電源ブロック６１を冷却する冷却流路Ｃとは、それぞれ交わることなく、下部キャビネット３の対向する側面に形成された排気口３７Ａ、および排気口３７Ｂ，３７Ｃから排気される。これによれば、一方を冷却した空気の熱が、他方を冷却する空気に影響することを防ぐことができる。従って、冷却流路Ｂ，Ｃにおいて熱干渉が生じることを防ぐことができ、これら光源装置４１、光源駆動ブロック６２、制御基板５および電源ブロック６１を一層効率よく冷却することができる。
【００６０】
さらに、この冷却流路Ｂ，Ｃは、リアプロジェクタ１内部への空気の導入から、リアプロジェクタ１外部への空気の排出までを、それぞれ独立した流路として形成されている。すなわち、下部キャビネット３の背面側には、光源装置４１および光源駆動ブロック６２を冷却する空気を導入する吸気口３６Ａと、制御基板５および電源ブロック６１を冷却する空気を導入する吸気口３６Ｂとが、それぞれ独立して形成されている。これら吸気口３６Ａ，３６Ｂから底面部３９の下方に導入した空気は、それぞれリブ３９Ｆによって隔離された空間を流通し、開口部３９Ｃ，３９Ｄに到達する。これら開口部３９Ｃ，３９Ｄの空気は、冷却ファン８２，８１により、それぞれ吸引され、互いに離間する方向に排出される。そして、この過程で、冷却流路Ｂでは、光源装置４１および光源駆動ブロック６２が冷却され、冷却流路Ｃでは、制御基板５および電源ブロック６１が冷却される。このように、冷却流路Ｂ，Ｃが、それぞれ独立して形成されているので、互いの冷却流路Ｂ，Ｃが交わることがなく、熱干渉が発生する可能性を一層低減することができる。従って、光源装置４１，光源駆動ブロック６２，制御基板５および電源ブロック６１の冷却効率を、より一層高めることができる。
【００６１】
冷却流路Ｂを形成する冷却ファン８２は、光源装置４１の上方に、吸気面を当該光源装置４１に対向させるようにして配置されている。これによれば、冷却ファン８２の駆動により、開口部３９Ｄ、光源装置４１および光源駆動ブロック６２周辺の空気は、冷却ファン８２の吸気面に集約する過程で、光源装置４１および光源駆動ブロック６２に沿って流通することとなる。ここで、冷却ファン８２の排気面が光源装置４１および光源駆動ブロック６２に対向している場合には、冷却ファン８２の排気面から送出された空気は、光源装置４１および光源駆動ブロック６２の当該排気面に対向する領域には送風されるものの、当該領域に当たると風圧が低下して拡散してしまうため、その他の領域には、必ずしも送風されない可能性がある。これに対して、冷却ファン８２は、吸気面を光源装置４１に対向させるように配置されていることにより、冷却ファン８２が駆動すると、吸気面側が減圧され、風圧の著しい変化のない空気が、滞留することなく、確実に光源装置４１および光源駆動ブロック６２に沿って流通することとなる。従って、これら光源装置４１および光源駆動ブロック６２に、確実に冷却空気を送風することができ、これにより、光源装置４１および光源駆動ブロック６２の冷却効率を向上することができる。
【００６２】
（７）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６３】
前記実施形態では、光源装置４１および光源駆動ブロック６２を冷却し、冷却ファン８２から排出される空気が、ダクト８３内を流通するとしたが、このようなダクト８３を必ずしも設ける必要はなく、冷却ファン８２の排気面から排気口３７Ａまでの距離が短ければ、当該冷却ファン８２の排気面から、排気口３７Ａを介して、冷却空気を直接外部に排出する構成としてもよい。なお、冷却ファン８２の排気面から排気口３７Ａまでの距離が長い場合には、当該冷却ファン８２の排気面から排出された空気が、ダクト８３内を流通する構成とすることにより、下部キャビネット３内に、熱せられた冷却空気が拡散することを抑えるとともに、排気効率を向上することができる。
【００６４】
前記実施形態では、光源装置４１および光源駆動ブロック６２を冷却する冷却ファン８２を、シロッコファンで構成し、当該冷却ファン８２の吸気面が光源装置４１に対向するように、当該光源装置４１の上方に配置するとしたが、本発明はこれに限らない。すなわち、冷却ファン８２は、軸流ファンでもよく、また、冷却ファン８２を、当該冷却ファン８２の排気面が、光源装置４１に対向するように、光源装置４１の下方に配置する構成としてもよい。なお、吸気面が光源装置４１に対向するように、冷却ファン８２を配置すれば、光源装置４１および光源駆動ブロック６２を冷却する空気が、これらに集約するように流通することとなるので、これら光源装置４１および光源駆動ブロック６２の冷却効率を一層向上することができる。
【００６５】
前記実施形態では、下部キャビネット３の背面側に吸気口３６Ａ，３６Ｂを形成し、これら吸気口３６Ａ，３６Ｂから下部キャビネット３内に導入した空気を、底面部３９の下方に流通させるようにしたが、本発明はこれに限らない。すなわち、吸気口３６Ａ，３６Ｂは、必ずしも下部キャビネット３の背面側に形成する必要はなく、リアプロジェクタ１を設置した際に、下部キャビネット３内に空気を導入可能であれば、当該下部キャビネット３のいずれかの面であってもよい。また、吸気口３６Ａ，３６Ｂから導入した空気が、直接、底面部３９上方に導入される構成としてもよい。なお、導入した空気が底面部３９の下方を流通する構成とすれば、光源装置４１および光源駆動ブロック６２を冷却する冷却流路Ｂと、制御基板５および電源ブロック６１を冷却する冷却流路Ｃとの独立性を向上することができ、熱干渉の発生を抑制して、これらの冷却効率を向上することができる。
【００６６】
前記実施形態では、吸気口３６Ａ，３６Ｂから導入した空気を隔てる隔壁としてのリブ３９Ｆを、底面部３９の下面に形成するとしたが、本発明はこれに限らない。すなわち、このようなリブ３９Ｆが形成されていない構成としてもよい。なお、底面部３９の下面にリブ３９Ｆを形成し、当該リブ３９Ｆにより、吸気口３６Ａから導入した空気を開口部３９Ｃに導くダクト状の隔壁と、吸気口３６Ｂから導入した空気を開口部３９Ｄに導くダクト状の隔壁を形成すれば、冷却流路Ｂ，Ｃの独立性をより一層向上することができるほか、底面部３９の強度を向上することができる。
【００６７】
前記実施形態では、下部キャビネット３の底面部３９は、当該下部キャビネット３が設定される設置面から所定の間隔をあけて形成されるとしたが、底面部３９を、所定の間隔をあけて上下に対向配置される一対の板状体で構成し、上方の板状体に光源装置４１等を載置し、下方の板状体を設置面に接触させる構成としてもよい。そして、この一対の板状体の間に、冷却空気を流通させるように構成してもよい。この場合、リアプロジェクタ１が絨毯等の上に設置された場合でも、底面部３９の下方の容積が低減されることがなくなり、内部を流通する冷却空気の流量を確保することができるほか、開口部３９Ｃ，３９Ｄから塵埃等が、下部キャビネット３内部に直接侵入することを防ぐことができる。
【００６８】
前記実施形態では、光源装置４１および光源駆動ブロック６２と、制御基板５および電源ブロック６１とは、光学ユニット４の投射レンズ４６を挟んで、それぞれ反対側に配置されるとしたが、これらが配置される空間を隔てる隔壁を、下部キャビネット３内に設ける構成としてもよい。この場合、開口部３９Ｃ周辺の空気が、冷却ファン８１によって吸引される可能性、および、開口部３９Ｄ周辺の空気が、冷却ファン８２によって吸引される可能性を無くすことができる。従って、冷却流路Ｂ，Ｃを完全に独立させることができ、これにより、熱干渉の発生を抑制して、光源装置４１、光源駆動ブロック６２、制御基板５および電源ブロック６１の冷却効率を一層向上することができる。
【００６９】
前記実施形態では、光源駆動ブロック６２を光源装置４１の近傍に配置したが、当該光源駆動ブロック６２は、光源装置４１から離れた位置に配置されていてもよい。また、前記実施形態では、光源駆動ブロック６２および光源装置４１のそれぞれが、冷却流路Ｂを流通する空気によって冷却される構成としたが、本発明では、光源駆動ブロック６２が必ずしもこのような構成でなくてもよい。すなわち、光源駆動ブロック６２は、光源装置４１を冷却する空気の流路である冷却流路Ｂ上に位置していなくてもよい。
なお、光源駆動ブロック６２を電源ブロック６１から離れた位置に配置することにより、当該電源ブロック６１から発生するノイズが、光源駆動ブロック６２に悪影響を及ぼすことを防ぐことができる。また、光源駆動ブロック６２を光源装置４１の近傍に配置することにより、配線の取り回しを簡素化することができるとともに、光源装置４１に送風される空気を利用して光源駆動ブロック６２を冷却することができる。従って、光源駆動ブロック６２を光源装置４１近傍に配置することにより、リアプロジェクタ１を安定して駆動することができるとともに、これら光源駆動ブロック６２および光源装置４１の冷却効率を向上することができる。
【００７０】
前記実施形態では、３つの光変調装置を用いたリアプロジェクタを採用したが、これに限らず、例えば、１つの光変調装置のみを用いたリアプロジェクタ、２つの光変調装置を用いたリアプロジェクタ、または４つ以上の光変調装置を用いたリアプロジェクタとしてもよい。また、光変調装置として液晶パネルを採用したが、これに限らず、マイクロミラーを用いたデバイス等の液晶以外の光変調装置を採用してもよい。さらに、透過型の光変調装置ではなく、反射型の光変調装置を用いてもよい。
加えて、前記実施形態では、光学ユニット４が平面視略Ｌ字形状を有した構成を説明したが、これに限らず、例えば、平面視略Ｕ字形状を有した構成を採用してもよい。
【産業上の利用可能性】
【００７１】
本発明は、リアプロジェクタに好適に利用できる。
【図面の簡単な説明】
【００７２】
【図１】本発明の一実施形態に係るリアプロジェクタを正面側から見た斜視図。
【図２】前記実施形態におけるリアプロジェクタを背面側から見た斜視図。
【図３】前記実施形態におけるリアプロジェクタを左側から見た側面図。
【図４】前記実施形態における上部キャビネットの内部構成を示す斜視図。
【図５】前記実施形態における下部キャビネットの内部構成を示す斜視図。
【図６】前記実施形態における下部キャビネットの内部構成を示す模式図。
【図７】前記実施形態における光学ユニットを示す斜視図。
【図８】前記実施形態における光学ユニットの光学系を示す模式図。
【図９】前記実施形態における下部キャビネットの底面部を下方から見た図。
【図１０】前記実施形態における開口部の位置を示す模式図。
【図１１】前記実施形態における冷却流路を示す図。
【符号の説明】
【００７３】
１…リアプロジェクタ、２…上部キャビネット（筐体）、２Ｂ…スクリーン、３…下部キャビネット（筐体）、３３…脚部、３６（３６Ａ，３６Ｂ）…吸気口、３９…底面部、４１…光源装置、４２…インテグレータ照明光学系（光学系）、４３…色分離光学系（光学系）、４４…リレー光学系（光学系）、４５…電気光学装置（光学系）、４６…投射レンズ（投射光学装置、光学系）、６１…電源ブロック（電源系）、８２…冷却ファン、８３…ダクト、３７Ａ…排気口（第１排気口）、３７Ｂ，３７Ｃ…排気口（第２排気口）、３９Ｃ…開口部（電源系冷却用の開口）、３９Ｄ…開口部（光源装置冷却用の開口）、３９Ｆ…リブ（隔壁）、４５１（４５１Ｒ，４５１Ｇ，４５１Ｂ）…液晶パネル（光変調装置）。
【図１】
2006208810.tif 000003
【図２】
2006208810.tif 000004
【図３】
2006208810.tif 000005
【図４】
2006208810.tif 000006
【図５】
2006208810.tif 000007
【図６】
2006208810.tif 000008
【図７】
2006208810.tif 000009
【図８】
2006208810.tif 000010
【図９】
2006208810.tif 000011
【図１０】
2006208810.tif 000012
【図１１】
2006208810.tif 000013
【手続補正書】
【提出日】平成18年1月23日(2006.1.23)
【手続補正１】
【補正対象書類名】明細書
【補正対象項目名】００６１
【補正方法】変更
【補正の内容】
【００６１】
冷却流路Ｂを形成する冷却ファン８２は、光源装置４１の上方に、吸気面を当該光源装置４１に対向させるようにして配置されている。これによれば、冷却ファン８２の駆動により、開口部３９Ｃ、光源装置４１および光源駆動ブロック６２周辺の空気は、冷却ファン８２の吸気面に集約する過程で、光源装置４１および光源駆動ブロック６２に沿って流通することとなる。ここで、冷却ファン８２の排気面が光源装置４１および光源駆動ブロック６２に対向している場合には、冷却ファン８２の排気面から送出された空気は、光源装置４１および光源駆動ブロック６２の当該排気面に対向する領域には送風されるものの、当該領域に当たると風圧が低下して拡散してしまうため、その他の領域には、必ずしも送風されない可能性がある。これに対して、冷却ファン８２は、吸気面を光源装置４１に対向させるように配置されていることにより、冷却ファン８２が駆動すると、吸気面側が減圧され、風圧の著しい変化のない空気が、滞留することなく、確実に光源装置４１および光源駆動ブロック６２に沿って流通することとなる。従って、これら光源装置４１および光源駆動ブロック６２に、確実に冷却空気を送風することができ、これにより、光源装置４１および光源駆動ブロック６２の冷却効率を向上することができる。